(57)【特許請求の範囲】
【請求項１】
複数の乗りかごと、
各階エレベータ乗場に設置されており乗りかごの行先階を登録するための行先階登録装置と、
前記複数の乗りかご内それぞれに設けられており、自乗りかごの位置を示す所定の画面を表示する表示装置と、
前記表示装置の表面に沿って設けられた透明な部材であって所定の接触操作に応じた入力を可能とするタッチパネルと、
前記行先階登録装置から待ち客により登録された乗りかごの行先階に基づいて前記複数の乗りかごのうちから割り当てられた乗りかごに前記待ち客が乗り込んでから該乗りかごが該行先階へ到着するまでに、エレベータ装置に供給される電源が停電により遮断された後に復旧したことを契機として、所定の期間に亘って、前記所定の画面に代えて前記自乗りかごの行先階を登録するための特定の画面を前記表示装置に表示させる一方、前記特定の画面の表示内容に基づいて前記タッチパネルを用いて入力された行先階の登録を有効とする制御部と、
を備え、
前記制御部は、
前記特定の画面として、前記各階エレベータ乗場に設置された前記行先階登録装置を模した画面を表示させる
ことを特徴とするエレベータ装置。
【請求項２】
前記制御部は、
前記所定の期間として、前記エレベータ装置に供給される電源が停電により遮断されて復旧してから、前記タッチパネルに入力されて登録された行先階に前記乗りかごが到着して前記乗りかごの扉が開き始めるまでの時間を設定する
ことを特徴とする請求項１に記載のエレベータ装置。
【発明の詳細な説明】
【技術分野】
【０００１】
本発明は、特に、エレベータ乗り場に行き先階登録装置を備えたエレベータ装置に関する。
【背景技術】
【０００２】
従来、一般的なエレベータ装置としては、所定階のエレベータ乗場に設けられる行先階登録装置において乗りかごの行先階登録を有効とし、乗りかご内に自乗りかごの位置を表示する表示装置が設けられた構成が提案されている（例えば特許文献１）。
【先行技術文献】
【特許文献】
【０００３】
【特許文献１】特開２０１４−１１１４９１号公報
【発明の概要】
【発明が解決しようとする課題】
【０００４】
従来のエレベータ装置では、エレベータ装置への電源が建物の停電などにより遮断された場合に、バックアップ電源によりエレベータの乗りかごを最寄り階まで運転する構成となっている。このように停電が発生すると、登録された行先階呼びがクリアされることとなるため、停電が復旧したときに乗りかごの行先階を再度登録することができる専用の行先階登録装置を乗りかご内に設ける必要があった。
【０００５】
本発明は以上の点を考慮してなされたもので、エレベータ装置への電源が停電により遮断されて登録済みの行先階がクリアされた場合でも、乗りかごを降車することなく、また専用の行先階登録装置を乗りかご内に設けていなくても、行先階の再登録を行うことができるエレベータ装置を提案しようとするものである。
【課題を解決するための手段】
【０００６】
かかる課題を解決するため本発明においては、各階エレベータ乗場に設置されており乗りかごの行先階を登録するための行先階登録装置と、前記乗りかご内に設けられており前記乗りかごの位置を示す画面を表示する表示装置と、前記表示装置の表面に沿って設けられた透明な部材であって所定の接触操作に応じた入力を可能とするタッチパネルと、前記エレベータ装置に供給される電源が停電により遮断された後に復旧したことを契機として、所定の期間に亘って、前記乗りかごの行先階を登録するための特定の画面を前記表示装置に表示させる一方、前記特定の画面の表示内容に基づいて前記タッチパネルを用いて入力された行先階の登録を有効とする制御部と、を備えるようにした。
【発明の効果】
【０００７】
本発明によれば、エレベータ装置への電源が停電により遮断されて登録済みの行先階がクリアされてしまっても、乗りかごを降車することなく、また専用の行先階登録装置を乗りかご内に設けていなくても、行先階の再登録を行うことができる。
【図面の簡単な説明】
【０００８】
【図１】本実施形態によるエレベータ装置の全体構成を示す概略構成図である。
【図２】図１のエレベータ装置のエレベータ制御装置と群管理制御装置とエレベータの乗りかご内とを示す正面図である。
【図３】乗りかご内の表示装置を行先階登録装置の機能に変更する処理の一例を示すフローチャートである。
【発明を実施するための形態】
【０００９】
以下図面について、本発明の一実施の形態を詳述する。なお、本実施形態では、１階〜１４階の階床を有する建物内において１号機〜３号機のエレベータが設置されている。また、建物の各階床のエレベータ乗場においては、サービスエレベータを案内するホールランタン（「予約灯」ともいう。）や、行先階を登録することができる１号機〜３号機のエレベータに共通の行先階登録装置がそれぞれ設けられている。その代わりに、本実施形態で想定している当該エレベータには、各乗りかごには行き先階登録装置が設けられていない。各階床のエレベータ乗場に設けられるホールランタンや行先階登録装置の構成は階床ごとに同一である。このため、ここでは、１階床と９階床との２つ階床に設けられるホールランタンや行先階登録装置について詳細に説明し、その他の階床についての詳細な説明を省略する。
【００１０】
（１）本実施形態によるエレベータ装置の全体構成
まず、本実施形態によるエレベータ装置１００の全体構成について説明する。図１は、本実施形態によるエレベータ装置１００の全体構成を示す。エレベータ装置１００は、１号機〜３号機のエレベータの乗りかご４１〜４３と、乗りかご４１〜４３の運転を制御すると共にその運転を管理するエレベータ制御装置１とを備えている。乗りかご４１〜４３内には、自乗りかごの位置や自乗りかごの移動方向を表示することができる乗りかご位置表示機能を有する表示装置５１〜５３がそれぞれ設けられると共に、音声による案内を行うことができる音声案内装置７１〜７３がそれぞれ設けられている。表示装置５１〜５３には、その表示領域を覆うように透明なタッチパネル５１ａ〜５３ａが取り付けられ、タッチパネル５１ａ〜５３ａによる入力機能がそれぞれ設けられている。表示装置５１〜５３としては、例えば液晶表示装置、有機ＥＬ等を挙げることができる。
【００１１】
エレベータ装置１００は、図示しない電源装置と、この電源装置からの電源供給状態を監視すると共にバックアップ電源を有する補助電源装置とを備えている。電源装置と補助電源装置とは、エレベータ機関室に設けられている。補助電源装置は、停電が発生して電源装置からの電源が遮断されると、電源装置からの電源からバックアップ電源へ自動的に切り換えることにより停電が発生してから電源装置からの電源が復旧するまでの期間に亘ってバックアップ電源を乗りかご４１〜４３とエレベータ制御装置１とにそれぞれ供給することができる。
【００１２】
上述した補助電源装置は、停電が発生して電源装置からの電源が復旧すると、バックアップ電源から電源装置からの電源へ自動的に切り換えることにより電源装置からの電源を乗りかご４１〜４３とエレベータ制御装置１とにそれぞれ供給することができる。
【００１３】
また補助電源装置は、電源装置からの電源からバックアップ電源へ自動的に切り換えると、バックアップ電源供給中である旨を示すバックアップ電源供給情報を外部に送出する一方、停電が発生して電源装置からの電源が復旧してバックアップ電源から電源装置からの電源へ自動的に切り換えると、そのバックアップ電源供給情報の送出を停止する。なお、補助電源装置は、電源装置からの電源が復旧すると、復旧した電源装置からの電源によりバックアップ電源を充電開始する。
【００１４】
エレベータ制御装置１は、エレベータ機関室に設けられるものであり、１号機〜３号機のエレベータの運転を管理する群管理制御装置２と、１号機〜３号機のエレベータの運転を制御する号機制御装置３１〜３３とを備えている。群管理制御装置２と号機制御装置３１〜３３とは、それぞれ電気的に接続されている。
【００１５】
群管理制御装置２は、号機制御装置３１〜３３とそれぞれ電気的に接続される他に、１階床と９階床とにそれぞれ設けられる１号機〜３号機のエレベータに共通の行先階登録装置８１，８２と、１号機〜３号機のエレベータの乗りかご内に設けられる表示装置５１〜５３とそれぞれ電気的に接続されている。行先階登録装置８１，８２には、数字０〜９、英字Ｂ、及び記号「＊」の計１２個の入力部から構成されるテンキーが設けられている。例えば１階床のエレベータ乗場に設けられる行先階登録装置８１のテンキーを待ち客が操作して行先階を予約すると、その情報が行先階予約情報として行先階登録装置８１から群管理制御装置２に入力される。
【００１６】
群管理制御装置２は、行先階登録装置８１，８２からの行先階予約情報に基づいて、乗りかご呼びの状況（数、発生した階床）から乗りかご呼びの混雑度を判断する。群管理制御装置２は、乗りかご４１〜４３の位置、乗りかごの移動方向、及び乗りかごの左右一対の開閉扉４１ａ〜４３ａのスライド開閉動作等の運転情報が号機制御装置３１〜３３からそれぞれ入力される。群管理制御装置２は、これらの運転情報に基づいて、乗りかご４１〜４３内に設けられる表示装置５１〜５３の表示領域に自乗りかごの位置、そして自乗りかごの移動方向を表示する画面を表示する画面情報を表示装置５１〜５３にそれぞれ送出する。
【００１７】
群管理制御装置２は、これらの運転情報に加えて、乗りかご呼びの混雑度に基づいて、乗りかご呼びに対して（つまり行先階登録装置８１，８２のテンキーを待ち客が操作して予約された行先階に対して）１号機〜３号機のエレベータのうちいずれか１台のエレベータを割当てる。群管理制御装置２は、この割当てたエレベータの運転を制御する号機制御装置に対して割当情報を送出する。
【００１８】
このように群管理制御装置２は、行先階登録装置８１，８２からの行先階予約情報、そして号機制御装置３１〜３３からの運転情報に基づいて１号機〜３号機のエレベータの運転を管理することができる。
【００１９】
群管理制御装置２は、補助電源装置からのバックアップ電源供給情報に基づいて、バックアップ電源供給情報が入力されているときには停電が発生して補助電源装置のバックアップ電源が供給されている状態であることを判断することができると共に、バックアップ電源供給情報が入力されていないときには電源装置からの電源が供給されている状態であることを判断することができる。
【００２０】
号機制御装置３１〜３３は、群管理制御装置２とそれぞれ電気的に接続される他に、１階床のエレベータ乗場に設けられるホールランタン９１〜９３と、９階床のエレベータ乗場に設けられるホールランタン９４〜９６と、１号機〜３号機のエレベータの乗りかご内に設けられる音声案内装置７１〜７３とそれぞれ電気的に接続されている。
【００２１】
これら号機制御装置３１〜３３は、乗りかご４１〜４３の走行制御、乗りかごの左右一対の開閉扉４１ａ〜４３ａのスライド開閉制御を行うと共に、乗りかご４１〜４３の位置、乗りかごの移動方向、及び乗りかごの左右一対の開閉扉４１ａ〜４３ａ等の運転情報を更新する。号機制御装置３１〜３３は、群管理制御装置２からの割当情報に基づいて、ホールランタン９１〜９３，９４〜９６を点灯して待ち客に対して案内を行う。号機制御装置３１〜３３は、運転情報、そして群管理制御装置２からの各種情報に基づいて、音声案内装置７１〜７３により音声による案内を行う。
【００２２】
このように号機制御装置３１〜３３は、１号機〜３号機のエレベータの乗りかご４１〜４３の走行制御、乗りかごの左右一対の開閉扉４１ａ〜４３ａのスライド開閉制御、音声案内装置７１〜７３の音声案内制御、及びホールランタン９１〜９３，９４〜９６の点灯制御等の各種制御を相互に独立して行うことで１号機〜３号機のエレベータの運転を制御することができる。また号機制御装置３１〜３３は、乗りかご４１〜４３の位置、乗りかごの移動方向、及び乗りかごの左右一対の開閉扉４１ａ〜４３ａ等の運転情報を群管理制御装置２にそれぞれ送出することができる。
【００２３】
ここで、群管理制御装置２と号機制御装置３１〜３３とによるエレベータの配車について簡単に説明する。例えば１階床のエレベータ乗場に設けられる行先階登録装置８１のテンキーを待ち客が操作して行先階を予約すると、その情報が行先階予約情報として行先階登録装置８１から群管理制御装置２に入力される。群管理制御装置２は、号機制御装置３１〜３３からの運転情報と、行先階登録装置８１からの行先階予約情報とに基づいて１号機〜３号機のエレベータのうちいずれか１台のエレベータを割当てる。群管理制御装置２は、号機制御装置３１〜３３からの運転情報に基づいて、例えば１階床のエレベータ乗場に設けられる行先階登録装置８１のテンキーを操作した待ち客に対して１号機のエレベータが適していると（例えば行先階登録装置８１のテンキーが操作されてから最も速く配車することができるエレベータが１号機のエレベータであると）判断したときには１号機のエレベータを割当て、１号機のエレベータの運転を制御する号機制御装置３１に対して割当情報を送出する。
【００２４】
（２）本実施形態による乗りかご内に設けられる表示装置の構成
次に、本実施形態による乗りかご４１〜４３内に設けられる表示装置５１〜５３の構成について説明する。１号機〜３号機のエレベータは同一の構成であるため、ここでは、１号機のエレベータの乗りかご４１内に設けられる表示装置５１の構成について説明する。図２は、図１のエレベータ装置１００のエレベータ制御装置１と群管理制御装置２と１号機のエレベータの乗りかご４１内とを示す正面図である。
【００２５】
乗りかご４１内には、自乗りかごの位置や自乗りかごの移動方向を表示することができる表示領域を有する表示装置５１が設けられている。表示装置５１は、群管理制御装置２からの画面情報に基づいて、自乗りかごの位置や自乗りかごの移動方向を表示する画面を表示する。
【００２６】
表示装置５１は、１号機のエレベータが通常運転されているときには、その表示領域の中央において自乗りかごの位置を示す位置画像５１１ａと、その表示領域の上側であって位置画像５１１ａの上方において自乗りかごの移動方向を表示する移動方向画像５１１ｂとから構成される画面５１１を表示する。このような１号機のエレベータが通常運転されているときにエレベータ装置１００に供給する電源装置からの電源が停電により遮断された場合には、これに伴い、補助電源装置が電源装置からの電源からバックアップ電源に自動的に切り換えてエレベータ装置１００にバックアップ電源を供給する。群管理制御装置２は、バックアップ電源が供給されると、補助電源装置によるバックアップ電源供給中である旨を伝えるバックアップ電源供給情報が補助電源装置から入力されることにより、バックアップ電源が供給されている状態であることを判断する。これにより群管理制御装置２は、１号機のエレベータを通常運転から非通常運転に切り換えて１号機のエレベータの運転を補助電源装置のバックアップ電源により再開することとなる。そして群管理制御装置２は、図１に示した１号機のエレベータの運転を制御する号機制御装置３１からの運転情報に基づいて、１号機のエレベータの乗りかご４１の位置、及び乗りかごの移動方向を取得して、乗りかご４１を最寄り階まで移動して待機するための最寄り階移動情報を号機制御装置３１に送出する。
【００２７】
号機制御装置３１は、群管理制御装置２からの最寄り階移動情報に基づいて、１号機のエレベータの乗りかご４１を最寄り階へ移動する走行制御を行うと共に、「停電が発生しました。」、「バックアップ電源により最寄り階へ走行中です。」という案内を音声案内装置７１による音声制御を行う。この案内を、乗りかご４１が最寄り階へ到着するまで繰り返し音声案内装置７１による音声制御を行ってもよい。そして号機制御装置３１は、乗りかご４１が最寄り階へ到着すると、「電源が復旧するまでの間、しばらくお待ちください。」という案内を音声案内装置７１による音声制御を行う。この案内を、乗りかご４１が最寄り階へ到着して所定間隔（例えば３分）ごとに繰り返し音声案内装置７１による音声制御を行ってもよい。
【００２８】
また群管理制御装置２は、号機制御装置３１が１号機のエレベータの乗りかご４１を最寄り階へ移動する走行制御を行っているときには、表示装置５１の表示領域の中央において自乗りかごの位置を示す位置画像５１１ａと、表示装置５１の表示領域の上側であって位置画像５１１ａの上方において自乗りかごの移動方向を表示する移動方向画像５１１ｂとから構成される画面５１１を表示する画面情報を表示装置５１に送出する。そして群管理制御装置２は、号機制御装置３１が乗りかご４１を最寄り階へ移動完了すると、表示装置５１の表示領域５１の中央において自乗りかごの位置を示す位置画像５１１ａと、表示装置５１の表示領域の上側であって位置画像５１１ａの上方において自乗りかごの移動方向を表示する移動方向画像５１１ｂに代えて図示しない「停電により待機中」というメッセージ画像とを含む画面を表示する画面情報を表示装置５１に送出する。
【００２９】
群管理制御装置２は、電源装置からの電源が復旧すると、補助電源装置によるバックアップ電源供給中である旨を伝えるバックアップ電源供給情報が補助電源装置から入力されなくなることにより、電源装置からの電源が供給されている状態であることを判断する。これにより群管理制御装置２は、１号機のエレベータを非通常運転から通常運転に切り換えて１号機のエレベータの運転を電源装置からの電源により再開することとなる。補助電源装置のバックアップ電源から電源装置からの電源に切り換わる際に、電源が遮断されることなく（つまり切れ目なく）供給される。
【００３０】
電源装置からの電源が復旧すると、群管理制御装置２は、表示装置５１を乗りかご位置表示機能から行先階登録装置の機能に変更するために、表示装置５１の表示領域５１の下側から中央上寄りまで亘る領域において１階〜１４階までの各階床を示す数字が円図形内にそれぞれ配置された画像を２列に整列して表示する行先階画像５１２ａと、表示装置５１の表示領域の上側であって行先階画像５１２ａの上方において「行先階に触れて再登録を行ってください。」というメッセージ画像５１２ｂとから構成される画面５１２を表示する画面情報を表示装置５１に送出する。
【００３１】
行先階画像５１２ａを構成する２列のうち左側列には、１階〜１４階までの各階床を示す数字のうち偶数階の階床を示す偶数が円図形内にそれぞれ配置される画像が１列に整列され、その数字が表示装置５１の表示領域５１の下側から中央上寄りへ向かって２、４、・・・、１２、１４という順番に偶数が１つずつ大きくなる表示態様でそれぞれ表示される。行先階画像５１２ａを構成する２列に整列された右側列には、１階〜１４階までの各階床を示す数字のうち奇数階の階床を示す奇数が円図形内にそれぞれ配置される画像が１列に整列され、その数値が表示装置５１の表示領域５１の下側から中央上寄りへ向かって１、３、・・・、１１、１３という順番に奇数が１つずつ大きくなる表示態様でそれぞれ表示される。
【００３２】
表示装置５１は、乗りかご４１内の乗客が表示装置５１の表示領域に表示される行先階画像５１２ａの行先階に指で触れると、その触れた位置を表示装置５１のタッチパネル５１ａにより取得する。表示装置５１は、その取得した乗客の指の位置に基づいて、乗客が再登録する行先階の画像（つまり円形図形内に配置された行先階を示す数字の画像）の表示態様を他の表示態様に変化させることにより（例えば点灯する表示態様や点滅する表示態様を挙げることができる。）、乗客が再登録する行先階である旨を表示すると共に、その乗客が再登録した行先階を再登録情報として群管理制御装置２に送出する。
【００３３】
群管理制御装置２は、表示装置５１からの再登録情報が入力されると、乗りかご４１内の乗客による乗りかご呼びとして有効に登録する。そして群管理制御装置２は、１号機のエレベータを割当て１号機のエレベータの運転を制御する号機制御装置３１に対して割当情報を送出する。これにより号機制御装置３１は、１号機のエレベータの乗りかご４１の走行制御、音声案内装置７１〜７３の音声案内制御、及びホールランタン９１，９４の点灯制御等の各種制御を行い、乗りかご４１内の乗客が再登録した行先階へ乗りかご４１を移動する。そして号機制御装置３１は、乗りかご４１内の乗客が再登録した行先階へ乗りかご４１を移動完了すると、乗りかご４１の左右一対の開閉扉４１ａをスライド開動作するスライド開制御を行う。群管理制御装置２は、号機制御装置３１からの運転情報に基づいて、号機制御装置３１が乗りかご４１の左右一対の開閉扉４１ａのスライド開動作を行っていることを判断すると、表示装置５１による行先階登録装置の機能を解除して乗りかご位置表示機能に戻すために、表示装置５１の表示領域５１の中央において自乗りかごの位置を示す位置画像５１１ａと、表示装置５１の表示領域の上側であって位置画像５１１ａの上方において自乗りかごの移動方向を表示する移動方向画像５１１ｂに代えて図示しない「行先階へ到着しました」というメッセージ画像とから構成される画面を表示する画面情報を表示装置５１に送出する。
【００３４】
エレベータ乗場の待ち客が乗りかご４１〜４３に乗車して行先階へ到着するまでに停電が発生すると、電源装置からの電源が遮断されることにより、行先階登録装置８１，８２からの行先階予約情報の内容が群管理制御装置２からクリアされ、そして号機制御装置３１〜３３からの運転情報の内容が群管理制御装置２からクリアされることにより１号機〜３号機のエレベータの運転を管理する内容が群管理制御装置２からすべてクリアされると共に、１号機〜３号機のエレベータの運転を制御する内容が号機制御装置３１〜３３からすべてクリアされてしまう。
【００３５】
そこで本実施形態によるエレベータ装置１００では、エレベータ乗場の待ち客が乗りかご４１〜４３に乗車して行先階へ到着するまでに停電が発生すると、電源装置からの電源から補助電源装置のバックアップ電源に自動的に切り換わり、補助電源装置のバックアップ電源により乗りかご４１〜４３を最寄り階へ移動して待機し、その後に電源装置の電源が復旧すると、乗りかご４１〜４３内の表示装置５１〜５３を乗りかご位置表示機能から行先階登録装置の機能に変更して行先階の再登録を乗客が乗りかご４１〜４３に乗車した状態で直接行うことができるという仕組みを採用した。
【００３６】
なお、本実施形態によるエレベータ装置１００では、補助電源装置のバックアップ電源から電源装置からの電源に切り換わる際に、電源が遮断されることなく（つまり切れ目なく）供給されるようになっているため、これに伴い、行先階登録装置８１，８２からの行先階予約情報の内容が群管理制御装置２からクリアされず、そして号機制御装置３１〜３３からの運転情報の内容が群管理制御装置２からクリアされないことにより１号機〜３号機のエレベータの運転を管理する内容が群管理制御装置２からすべてクリアされることがないと共に、１号機〜３号機のエレベータの運転を制御する内容が号機制御装置３１〜３３からすべてクリアされることがない。
【００３７】
（３）本実施形態による行先階登録装置の機能を変更する処理
次に、本実施形態による乗りかご４１〜４３内に設けられる表示装置５１〜５３の乗りかご位置表示機能から行先階登録装置の機能に変更する処理について説明する。１号機〜３号機のエレベータは同一の構成であるため、ここでは、１号機のエレベータの乗りかご４１内に設けられる表示装置５１の乗りかご位置表示機能から行先階登録装置の機能に変更する処理について説明する。図３は、乗りかご４１内の表示装置５１を行先階登録装置の機能に変更する処理の一例を示すフローチャートである。
【００３８】
群管理制御装置２は、図３に示す処理を周期的に実行し、図３に示す処理手順に従って乗りかご４１内の表示装置５１を行先階登録装置の機能に変更する。
【００３９】
実際上、群管理制御装置２は、１号機のエレベータに供給する電源装置からの電源が停電により遮断されているか否かを判断する（Ｓ３００）。具体的には、群管理制御装置２は、補助電源装置からのバックアップ電源供給情報に基づいて、バックアップ電源供給情報が入力されているときには停電が発生して補助電源装置のバックアップ電源が供給されている状態であることを判断して電源装置からの電源が停電により遮断されているという肯定結果を得る一方、バックアップ電源供給情報が入力されていないときには電源装置からの電源が供給されている状態であることを判断して電源装置からの電源が停電により遮断されていないという否定結果を得る。
【００４０】
そして群管理制御装置２は、この判断で肯定結果を得ると、補助電源装置のバックアップ電源により１号機のエレベータを最寄り階まで運転し（Ｓ３０５）、最寄り駅で待機し（Ｓ３１０）、本処理を終了する。具体的には、群管理制御装置２は、１号機のエレベータを通常運転から非通常運転に切り換えるために、号機制御装置３１からの運転情報に基づいて、１号機のエレベータの乗りかご４１の位置、及び乗りかごの移動方向を取得して、乗りかご４１を最寄り階まで移動して待機するための最寄り階移動情報を号機制御装置３１に送出する。
【００４１】
一方、ステップＳ３００の判断において否定結果を得ると、群管理制御装置２は、１号機のエレベータの乗りかご４１が最寄り階で待機しているか否かを判断する（ステップＳ３１５）。具体的には、群管理制御装置２は、号機制御装置３１からの運転情報に基づいて、１号機のエレベータの乗りかご４１が最寄り階で待機している状態であることを判断すると１号機のエレベータの乗りかご４１が最寄り階で待機しているという肯定結果を得る一方、１号機のエレベータの乗りかご４１が最寄り階で待機していない状態であることを判断すると１号機のエレベータの乗りかご４１が最寄り階で待機していないという否定結果を得る。
【００４２】
そして群管理制御装置２は、この判断で肯定結果を得ると、１号機のエレベータを通常運転に再開する（ステップＳ３２０）。具体的には、群管理制御装置２は、電源装置からの電源が復旧すると、補助電源装置によるバックアップ電源供給中である旨を伝えるバックアップ電源供給情報が補助電源装置から入力されなくなることにより、電源装置からの電源が供給されている状態であることを判断して１号機のエレベータを非通常運転から通常運転に切り換え、１号機のエレベータの運転を電源装置からの電源により再開する。
【００４３】
続いて、群管理制御装置２は、１号機のエレベータの乗りかご４１内の表示装置５１を行先階登録の機能とし（ステップＳ３２５）、本処理を終了する。具体的には、群管理制御装置２は、自乗りかごの位置や自乗りかごの移動方向を表示することができる乗りかご位置表示機能から行先階登録装置の機能に変更するために、図２に示した、行先階画像５１２ａと、「行先階に触れて再登録を行ってください。」というメッセージ画像５１２ｂとから構成される画面５１２を表示する画面情報を表示装置５１に送出する。表示装置５１は、乗りかご４１内の乗客が表示装置５１の表示領域に表示される行先階画像５１２ａの行先階に指で触れると、その触れた位置を表示装置５１のタッチパネル５１ａにより取得し、その乗客が再登録した行先階を再登録情報として群管理制御装置２に送出する。
【００４４】
一方、ステップＳ３１５の判断において否定結果を得ると、群管理制御装置２は、ステップＳ３２５において乗りかご４１内の乗客が表示装置５１のタッチパネル５１ａに触れることによりその乗客が再登録した行先階へ向かって１号機のエレベータを通常運転していると判断し、乗りかご４１の左右一対の開閉扉４１ａのスライド開閉制御のうちスライド開制御が開始されているか否かを判断する（ステップＳ３３０）。具体的には、群管理制御装置２は、号機制御装置３１からの運転情報に基づいて、号機制御装置３１が乗りかご４１の左右一対の開閉扉４１ａのスライド開動作を行っていることを判断すると号機制御装置３１が乗りかご４１の左右一対の開閉扉４１ａのスライド開動作を行っているという肯定結果を得る一方、号機制御装置３１が乗りかご４１の左右一対の開閉扉４１ａのスライド開動作を行っていないことを判断すると号機制御装置３１が乗りかご４１の左右一対の開閉扉４１ａのスライド開動作を行っていないという否定結果を得る。
【００４５】
そして群管理制御装置２は、この判断で肯定結果を得ると、１号機のエレベータの乗りかご４１内の表示装置５１を乗りかご位置表示機能とし（ステップＳ３３５）、本処理を終了する。具体的には、群管理制御装置２は、行先階登録の機能から乗りかご位置表示機能に戻す（変更する）ために、図２に示した、自乗りかごの位置を示す位置画像５１１ａ、及び、自乗りかごの移動方向を表示する移動方向画像５１１ｂを含む画面５１１を表示する画面情報を表示装置５１に送出する。
【００４６】
一方、ステップＳ３３０の判断において否定結果を得ると、群管理制御装置２は、ステップＳ３２５において乗りかご４１内の乗客が表示装置５１のタッチパネル５１ａに触れることによりその乗客が再登録した行先階へ向かって１号機のエレベータを通常運転していると判断する。さらに群管理制御装置２は、号機制御装置３１からの運転情報に基づいて、まだ号機制御装置３１が乗りかご４１の左右一対の開閉扉４１ａのスライド開動作を行っていないと判断し、１号機のエレベータの乗りかご４１内の表示装置５１を行先階登録の機能としたまま、本処理を終了する。
【００４７】
このように群管理制御装置２は、１号機のエレベータの乗りかご４１内に設けられる表示装置５１を乗りかご位置表示機能から行先階登録装置の機能に変更すると、乗りかご４１内の乗客が表示装置５１のタッチパネル５１ａに触れることによりその乗客が再登録した行先階へ向かって１号機のエレベータを通常運転する。さらに群管理制御装置２は、号機制御装置３１からの運転情報に基づいて、号機制御装置３１が乗りかご４１の左右一対の開閉扉４１ａのスライド開動作を行っていると判断するまで、表示装置５１を行先階登録装置の機能として維持し続ける。
【００４８】
（４）本実施形態の効果
以上のように本実施形態によるエレベータ装置１００では、エレベータ乗場の待ち客が乗りかご４１〜４３に乗車して行先階へ到着するまでの間に停電が発生すると、補助電源装置のバックアップ電源により乗りかご４１〜４３が最寄り階へ移動して待機する。その後、電源装置の電源が復旧すると、エレベータ装置１００は、乗りかご４１〜４３内の表示装置５１〜５３を乗りかご位置表示機能から行先階登録装置の機能に変更することにより、行先階の再登録を乗客が乗りかご４１〜４３に乗車した状態で直接行うことができる。これにより、エレベータ乗場の待ち客が乗りかご４１〜４３に乗車して行先階へ到着するまでに停電が発生した際に、補助電源装置のバックアップ電源により乗りかご４１〜４３が最寄り階へ移動して待機し、その後に電源装置の電源が復旧すると、その待機した最寄り階へ乗りかご４１〜４３から乗客がわざわざ降車して最寄り階に設けられる行先階登録装置を操作して行先階を再登録した後、再び乗りかごへ乗車するという手間を省くことができる。したがって、エレベータ装置１００への電源が停電で遮断され、登録された行先階がクリアされても、乗りかご４１〜４３を降車することなく、また専用の行先階登録装置をわざわざ乗りかご４１〜４３内に設けておかなくても、乗りかご４１〜４３内で行先階の再登録を行うことができる。
【００４９】
また本実施形態によるエレベータ装置１００では、電源装置からの電源が復旧すると、乗りかご４１〜４３内に設けられる表示装置５１〜５３を乗りかご位置表示機能から行先階登録装置の機能に変更し、乗りかご４１〜４３内の乗客が表示装置５１〜５３のタッチパネル５１ａ〜５３ａに触れることによりその乗客が再登録した行先階へ向かって１号機〜３号機のエレベータを通常運転する。エレベータ装置１００は、乗りかご４１〜４３の左右一対の開閉扉４１ａ〜４３ａのスライド開動作を完了したと判断するまでの期間に亘って、表示装置５１〜５３を行先階登録装置の機能として個別に維持し続けるため、表示装置５１〜５３を乗りかご位置表示機能から行先階登録装置の機能に変更している期間（「行先階の再登録有効期間」という。）を限定している。この行先階の再登録有効期間以外に乗りかご４１〜４３の乗客が表示装置５１〜５３のタッチパネル５１ａ〜５３ａに触れても、表示装置５１〜５３は、行先階の再登録という機能を発揮することがなく、つまり再登録情報が無効化されて表示装置５１〜５３から群管理制御装置２に送出されることがなく、乗りかご位置表示機能としての機能を発揮している。
【００５０】
本実施形態では、群管理制御装置２が行先階の再登録有効期間として、エレベータ装置に供給される電源が停電により遮断されて復旧してから、タッチパネル５１ａ〜５３ａに入力されて登録された行先階に乗りかごが到着してこの乗りかごの扉が開き始めるまでの一定の時間を設定している。このようにすると、このような一定の時間に限って乗客に行き先階の再登録を認める一方、その他の時間には通常通りの操作のみを認めることになり、乗客による誤操作を防止して安全性を高めることができる。
【００５１】
本実施形態では、群管理制御装置２が、特定の画面として、各階エレベータ乗場に設置された行先階登録装置を模した画面を表示させている。このようにすると、乗客がこのように希に表示される特定の画面であっても違和感なく感覚的に操作できるばかりでなく、電源の遮断という急な事象であっても慌てずに安全に乗客を誘導することができる。
【００５２】
（５）他の実施形態
上記実施形態は、本発明を説明するための例示であり、本発明をこれらの実施形態にのみ限定する趣旨ではない。本発明は、その趣旨を逸脱しない限り、様々な形態で実施することができる。例えば、上述した実施形態においては、電源装置からの電源が復旧すると、１号機〜３号機のエレベータを非通常運転から通常運転に切り換えて１号機〜３号機のエレベータの運転を電源装置からの電源により再開すると共に、表示装置５１を乗りかご位置表示機能から行先階登録装置の機能に変更するために、図２に示した、１階〜１４階までの各階床を示す数字が円図形内にそれぞれ配置された画像を２列に整列して表示する行先階画像５１２ａと、「行先階に触れて再登録を行ってください。」というメッセージ画像５１２ｂとから構成される画面５１２を表示する画面情報を表示装置５１に送出していたが、行先階画像５１２ａとして、エレベータ乗場に設けられる乗りかご４１〜４３の行先階を登録することができる行先階登録装置８１，８２を模した画像としてもよい。かくして、乗りかご４１〜４３の乗客は、各階エレベータ乗場に設けられている行先階登録装置８１，８２と同一の操作により行先階を登録できるため、行先階の再登録を行い易くなる。
【符号の説明】
【００５３】
１…エレベータ制御装置、２…群管理制御装置、３１〜３３…号機制御装置、４１〜４３…乗りかご、５１〜５３…表示装置、５１ａ〜５３ａ…タッチパネル、７１〜７３…音声案内装置、８１、８２…行先階登録装置、９１〜９３…ホールランタン、１００…エレベータ装置。
【図１】
0006518149.tif 000002
【図２】
0006518149.tif 000003
【図３】
0006518149.tif 000004